(57)【要約】【課題】  縦長で長尺の引手を仮施錠装置の解錠操作するための操作部材を取り付ける座板と兼用させることで取り付け作業が容易で体裁のよい引戸を提供すること。【解決手段】  ラッチング鎌錠等の仮施錠装置を取り付けた引戸に形成された縦長の溝に縦長で長尺の引手を取り付けてある引戸において、前記引手は引戸の高さの５０％〜１００％の長さで、表面側には前記仮施錠装置の解錠操作するためのサムターンやスライドボタン等の操作部材が収容される溝が形成され、裏面側には前記引戸に形成された縦長の溝の低壁との間に１ｍｍ〜３ｍｍのクリアランスが形成されるような２つの足片が形成され、前記仮施錠装置を解錠操作するための操作部材の操作桿を仮施錠装置内に嵌入させるための丸孔や角孔等の孔を予め形成してあることを特徴とする。【選択図】図１
2010019061.tif 000002
【特許請求の範囲】
【請求項１】
ラッチング鎌錠等の仮施錠装置を取り付けた引戸に形成された縦長の溝に縦長で長尺の引手を取り付けてある引戸において、前記引手は引戸の高さの５０％〜１００％の長さで、表面側には前記仮施錠装置の解錠操作するためのサムターンやスライドボタン等の操作部材が収容される溝が形成され、裏面側には前記引戸に形成された縦長の溝の低壁との間に１ｍｍ〜３ｍｍのクリアランスが形成されるような２つの足片が形成され、前記仮施錠装置を解錠操作するための操作部材の操作桿を仮施錠装置内に嵌入させるための丸孔や角孔等の孔を予め形成してあることを特徴とする引戸。
【発明の詳細な説明】
【技術分野】
【０００１】  本発明は、縦長で長尺の引手付き引戸に関するものである。
【発明の開示】
【発明が解決しようとする課題】
【０００２】  従来から縦長で長尺の引手付き引戸は公知である。【０００３】  縦長で長尺の引手付き引戸は身長の高低に拘らずどの位置からでも手を掛けて引戸を開閉できるので、身長の低い小児のいる室内の間仕切り戸では特に便利であり、また、縦長で長尺の引手は引戸の装飾にもなり、体裁のよい引戸を提供できることから近年多くの家庭で採用されている。【０００４】  このような引戸において引戸を閉めた後引手に手を掛けただけの状態では開けないように仮に保持しておく仮施錠装置として、特開平１０−２９２６９３号公報に記載されるような所謂ラッチング鎌錠を取り付けて使用する場合がある。【０００５】  しかしながら、仮施錠装置の解錠操作するための操作部材を引手とは別の箇所に設けなければならず、引手の取付作業の他に操作部材の座板を取り付ける作業を要するだけでなく、座板が引手とは別の箇所に見えて体裁が悪いという問題点があった。
【発明の目的】
【０００６】  本発明の目的は、縦長で長尺の引手を仮施錠装置の解錠操作するための操作部材を取り付ける座板と兼用させることで取り付け作業が容易で体裁のよい引戸を提供することにある。
【課題を解決するための手段】
【０００７】  本発明に係る引戸は、ラッチング鎌錠等の仮施錠装置を取り付けた引戸に形成された縦長の溝に縦長で長尺の引手を取り付けてある引戸において、前記引手は引戸の高さの５０％〜１００％の長さで、表面側には前記仮施錠装置の解錠操作するためのサムターンやスライドボタン等の操作部材が収容される溝が形成され、裏面側には前記引戸に形成された縦長の溝の低壁との間に１ｍｍ〜３ｍｍのクリアランスが形成されるような２つの足片が形成され、前記仮施錠装置を解錠操作するための操作部材の操作桿を仮施錠装置内に嵌入させるための丸孔や角孔等の孔を予め形成してあることを特徴とするものである。
【発明の作用】
【０００８】  本発明に係る引戸では、引手に仮施錠装置を解錠操作するためのサムターンやスライドボタン等の操作部材を収容できる溝が形成され、且つ、操作部材の操作桿を仮施錠装置内に嵌入させるための丸孔乃至角孔が予め形成されているので、仮施錠装置の解錠操作するための操作部材を取り付ける座板を別途に取り付ける必要がなく、取付作業が容易で、体裁のよい引戸が提供できる。
【実施例１】
【０００９】  図１は、本発明引戸の分解斜視図、図２は、引手の斜視図、図３は、図２のＡ−Ａ線における拡大断面図である。【００１０】  図において、１は、木製の引戸であって、敷居の溝を滑るものやレール上を転動するもの或いは吊り引戸であってもよいものである。【００１１】  ２は、引戸１に取り付けられた特開平１０−２９２６９３号公報に記載されるようなラッチング鎌錠等のケースロックやチューブラーロック形式の仮施錠装置で、サムターンやスライドボタン等の操作部材２−１で解錠操作ができる従来から公知のものであるので、具体的な作動の説明は省略する。【００１２】  ３は、引手であって、アルミニュウム等の金属或いは樹脂の引き抜き又は押し出しにより成形した長尺のものを引戸１の高さの５０％〜１００％の長さに切断して使用するもので、その断面形状は、
▲１▼  正面板となる平板部３−１と
▲２▼  同平板部３−１の左右端部から立ち上がる側壁部３−２、３−２と
▲３▼  両側壁部３−２、３−２の上端から左右に延びるフランジ部３−３、３−３と
▲４▼  両側壁部３−２、３−２を反対側に延長した足片３−４、３−４とから
成るコ字形の形状をしており、平板部３−１の仮施錠装置２の解錠操作位置には操作部材２−１の操作桿２−２を仮施錠装置２内に嵌入させるための丸孔、角孔等の孔３−５が形成されている。【００１３】  引手３は上記構成により、平板部３−１と両側壁部３−２、３−２との間で形成される溝３ａにはサムターンやスライドボタン等の操作部材２−１が収容されるようになっており、また、平板部３−１と両足片３−３、３−３との間で形成されるクリアランスの溝３ｂ内に前記孔３−２に嵌入させる操作部材２−１の操作桿２−２の抜け止め用のリテーナー等の部材が収まるようになっており、このクリアランスは１ｍｍ〜３ｍｍが好ましい。【００１４】  次に、本発明の引戸に引手を取り付ける方法を説明する。【００１５】  引戸１の側端面の所定箇所には予め仮施錠装置２を取り付けるための掘り込み孔１ａと、前後表面には引手３を嵌め込んで取り付けるための溝１ｂが形成してあり、この溝の長さは取り付ける引手２の長さに調整してあり、引戸１の高さの５０％であれば幼児でも手が届く位置に引手３の一部がくるような箇所に溝を形成し、１００％の場合は図１のように引戸１の縦方向全長に亘って溝１ｂを形成しておく。【００１６】  この状態で仮施錠装置２を所定箇所の掘り込み孔１ａに取り付け、引戸１の前後表面の溝１ｂに引手３を嵌め込んで取り付けるのであるが、引手３には予め仮施錠装置２の解錠操作するための操作部材２−１の操作桿２−２を仮施錠装置２内に嵌入させるための丸孔や角孔等の孔３−５を穿っておく。
本実施例の場合、操作部材２−１としてサムターンを採用したので、丸孔としてある。【００１７】  前記引手３の孔３−１に操作桿２−２を嵌入させ、前記クリアランスの溝３ｂに収まる厚さのリテーナーで抜け止めを施して操作桿２−２の先端を仮施錠装置２内に嵌入させるようにして引手３を引戸１の溝１ｂに嵌め込んで取り付ける。【００１８】  この取付手段としてネジ止め手段が最も簡単であるが、体裁を考えて強力な接着剤で取り付けるのが好ましい。
【発明の効果】
【００１９】  以上述べたように、本発明に係る引戸によれば、ラッチング鎌錠等の仮施錠装置を取り付けた引戸に形成された縦長の溝に縦長で長尺の引手を取り付けてある引戸において、前記引手は引戸の高さの５０％〜１００％の長さで、表面側には前記仮施錠装置の解錠操作するためのサムターンやスライドボタン等の操作部材が収容される溝が形成され、裏面側には前記引戸に形成された縦長の溝の低壁との間に１ｍｍ〜３ｍｍのクリアランスが形成されるような２つの足片が形成され、前記仮施錠装置を解錠操作するための操作部材の操作桿を仮施錠装置内に嵌入させるための丸孔や角孔等の孔を予め形成したもので、引手に仮施錠装置を解錠操作するためのサムターンやスライドボタン等の操作部材を収容できる溝が形成され、且つ、操作部材の操作桿を仮施錠装置内に嵌入させるための丸孔乃至角孔が予め形成されているので、仮施錠装置の解錠操作するための操作部材を取り付ける座板を別途に取り付ける必要がなく、そのため、取付作業が容易で、体裁のよい引戸が提供できるものである。
【図面の簡単な説明】
【００２０】
【図１】  本発明引戸の分解斜視図である。
【図２】  引手の斜視図である。
【図３】  図２のＡ−Ａ線における拡大断面図である。
【符号の説明】
【００２１】１          引戸
２          仮施錠装置
３          引手
【図１】
2010019061.tif 000003
【図２】
2010019061.tif 000004
【図３】
2010019061.tif 000005